(57)【要約】【課題】この発明は、地上アナログ放送、衛星デジタル放送及び地上デジタル放送の各選局操作を、ユーザにとっての使い勝手を向上させるように考慮し、しかも、選局のためのキー数の増加を抑えて操作性を向上させることを可能とした放送受信装置及び放送受信方法を提供することを目的としている。【解決手段】リモートコントローラ２７に第１のワンタッチ選局キー群２９と第２のワンタッチ選局キー群３０とを配置し、第２のワンタッチ選局キー群３０に地上アナログ放送のチャンネルを割り当て、第１のワンタッチ選局キー群２９にモード切り替えを行なうことによって、地上デジタル放送、ＢＳデジタル放送及び１１０度ＣＳデジタル放送を割り当てる。第１のワンタッチ選局キー群２９と第２のワンタッチ選局キー群３０との間で、放送の割り当てを入れ替えることが可能である。【選択図】    図４
2004363910.tif 000002
【特許請求の範囲】
【請求項１】
地上アナログ放送、地上デジタル放送及び衛星デジタル放送を受信可能な放送受信装置において、
前記地上アナログ放送、地上デジタル放送及び衛星デジタル放送に対応させてモード切り替えが可能で、各モード毎に対応する放送に含まれる複数のチャンネルが、複数のワンタッチ選局キーにそれぞれ対応して割り当てられる第１のワンタッチ選局操作手段と、
前記地上アナログ放送、地上デジタル放送及び衛星デジタル放送のいずれか１つの放送に含まれる複数のチャンネルが、複数のワンタッチ選局キーにそれぞれ対応して割り当てられる第２のワンタッチ選局操作手段とを具備したことを特徴とする放送受信装置。
【請求項２】
前記第２のワンタッチ選局操作手段に割り当てられた放送の各チャンネルを、前記第１のワンタッチ選局操作手段の各ワンタッチ選局キーにそれぞれ対応して割り当て、前記第１のワンタッチ選局操作手段に割り当てられた複数の放送から選択された１つの放送の各チャンネルを、前記第２のワンタッチ選局操作手段の各ワンタッチ選局キーにそれぞれ対応して割り当てるように、前記第１のワンタッチ選局操作手段と前記第２のワンタッチ選局操作手段との間で、放送の割り当てを入れ替える制御手段を具備したことを特徴とする請求項１記載の放送受信装置。
【請求項３】
前記第１のワンタッチ選局操作手段は、前記第２のワンタッチ選局操作手段に割り当てられた放送を除く他の放送に対して、チャンネルの割り当てが行なわれることを特徴とする請求項１記載の放送受信装置。
【請求項４】
前記第１のワンタッチ選局操作手段は、前記第２のワンタッチ選局操作手段に割り当てられた放送を含む、受信可能な全ての放送に対して、チャンネルの割り当てが行なわれることを特徴とする請求項１記載の放送受信装置。
【請求項５】
前記第１のワンタッチ選局操作手段は、前記複数の放送に対応させてモードを切り替えるためのモード切替操作手段を具備したことを特徴とする請求項１記載の放送受信装置。
【請求項６】
前記第１のワンタッチ選局操作手段及び前記第２のワンタッチ選局操作手段は、リモートコントローラに設置されることを特徴とする請求項１記載の放送受信装置。
【請求項７】
前記第２のワンタッチ選局操作手段には、地上アナログ放送と地上デジタル放送とが選択的に割り当てられることを特徴とする請求項１記載の放送受信装置。
【請求項８】
地上アナログ放送、地上デジタル放送及び衛星デジタル放送を受信可能な放送受信方法において、
前記地上アナログ放送、地上デジタル放送及び衛星デジタル放送に対応させてモード切り替えが可能で、各モード毎に対応する放送に含まれる複数のチャンネルを、複数の第１のワンタッチ選局キーにそれぞれ対応して割り当てる工程と、
前記地上アナログ放送、地上デジタル放送及び衛星デジタル放送のいずれか１つの放送に含まれる複数のチャンネルを、複数の第２のワンタッチ選局キーにそれぞれ対応して割り当てる工程とを具備したことを特徴とする放送受信方法。
【請求項９】
前記第２のワンタッチ選局キーに割り当てられた放送の各チャンネルを、前記第１のワンタッチ選局キーにそれぞれ対応して割り当て、前記第１のワンタッチ選局キーに割り当てられた複数の放送から選択された１つの放送の各チャンネルを、前記第２のワンタッチ選局キーにそれぞれ対応して割り当てるように、前記第１のワンタッチ選局キーと前記第２のワンタッチ選局キーとの間で、放送の割り当てを入れ替える工程を具備したことを特徴とする請求項８記載の放送受信方法。
【発明の詳細な説明】
【０００１】
【発明の属する技術分野】
この発明は、地上アナログ放送、衛星デジタル放送及び地上デジタル放送等が混在する状況に適する放送受信装置及び放送受信方法に係り、特にその選局操作を容易化するようにしたものに関する。
【０００２】
【従来の技術】
周知のように、近年では、テレビジョン放送のデジタル化が推進されている。そして、日本国内においては、ＢＳ（Ｂｒｏａｄｃａｓｔｉｎｇ  Ｓａｔｅｌｌｉｔｅ）デジタル放送及び１１０度ＣＳ（Ｃｏｍｍｕｎｉｃａｔｉｏｎ  Ｓａｔｅｌｌｉｔｅ）デジタル放送等の衛星デジタル放送だけでなく、地上デジタル放送も開始される運びとなっている。
【０００３】
この地上デジタル放送は、現行の地上アナログ放送の基盤を前提としているため、チャンネルをダイレクト選局するためのワンタッチ選局キーの数を１２個とする１２ポジションの概念や、日本全国を複数の地域に分割して各地域毎に放送局を設置する地域単位の概念が、その運用規程に盛り込まれている。
【０００４】
そして、各地域に存在する放送局は、番組情報とともに、自己の放送がどの地域向けの放送であるかを示す制御情報（地域識別）や、自己の放送チャンネルを１２ポジションのうちのどのポジションに割り当てるかを指定する制御情報（ｒｅｍｏｔｅ＿ｃｏｎｔｒｏｌ＿ｋｅｙ＿ｉｄ）等を送信している。
【０００５】
一方、ユーザは、購入した地上デジタル放送対応の放送受信機を自宅に設置した後、放送受信機に自己の居住地域を設定する。これにより、放送受信機は、ＵＨＦ（Ｕｌｔｒａ  Ｈｉｇｈ  Ｆｒｅｑｕｅｎｃｙ）帯物理チャンネルを順番にスキャンし、受信可能な地上デジタル放送の放送局を検出する。
【０００６】
この場合、放送受信機は、スキャンによって検出した放送局から送出される地域識別情報に基づいて、その放送局からの放送が、ユーザの居住地域向けの放送であるか、あるいは、ユーザの居住地域外の放送であるかを判別することができる。
【０００７】
そして、ユーザの居住地域向けの放送である場合、放送受信機は、リモートコントローラに設置された１２個のワンタッチ選局キーのうち、その放送局から送出されるｒｅｍｏｔｅ＿ｃｏｎｔｒｏｌ＿ｋｅｙ＿ｉｄで指定されたポジションのキーに、その放送局のチャンネルを割り当てる。
【０００８】
これにより、リモートコントローラの各ワンタッチ選局キーに、放送チャンネルをそれぞれ対応させて設定することができる。このようにチャンネル設定された後は、ユーザがリモートコントローラの所望のワンタッチ選局キーを操作するだけで、そのキーに対応した放送チャンネルが選局されることになる。
【０００９】
ところで、今後は、現行の地上アナログ放送と地上デジタル放送とが混在する時期となることから、地上アナログ放送及び地上デジタル放送を全て受信可能な放送受信機が普及する見込みとなっている。
【００１０】
そして、このような放送受信機においては、地上アナログ放送の選局と地上デジタル放送の選局とを、どのような操作形態で行なわせるかが、大きな課題となっている。
【００１１】
この課題を解決する１つの手法として、リモートコントローラに設置された１２個のワンタッチ選局キーを、地上アナログ放送及び地上デジタル放送とで共用する、つまり、モード切り替えキーにより、地上アナログ放送での選局に使用するモードと地上デジタル放送での選局に使用するモードとに切り替えて使用することが考えられる。ところが、この手法は、不特定多数のユーザが使用する際に必ずしも使い勝手の良い使用形態であるとは言えないものである。
【００１２】
このため、現在では、リモートコントローラ上に、地上アナログ放送の選局専用の１２個のワンタッチ選局キーと、地上デジタル放送の選局専用の１２個のワンタッチ選局キーとを、それぞれ分離して配置することが行なわれている。
【００１３】
しかしながら、放送受信機としては、地上アナログ放送と地上デジタル放送とに対応するだけでなく、ＢＳデジタル放送及び１１０度ＣＳデジタル放送にも対応することが要求される。この結果、リモートコントローラに設置されるキーの数が大幅に増大することが予想され、リモートコントローラの大型化や操作性の悪化を招くという問題が生じることになる。
【００１４】
ここで、特許文献１には、多機能化対応のリモコンにおいて、機能が増加しても、見かけ上のスイッチ数を増加させることなく、スイッチの識別も簡単に行なうことができ、スイッチ操作を容易に行なえるようにしたリモコンの構成が開示されている。
【００１５】
特許文献２には、リモコン送信機に設けた上下両面の操作ボタン群の機能を切り替えるスイッチを、同スイッチの切替作動用のレバーの先端寄りに設けた錘の重量によって切り替えることにより、同リモコンの上向きの面の操作ボタン群を機能させるようにしたリモコンの構成が開示されている。
【００１６】
特許文献３には、リモートコントロール送信機の表裏面に操作キーを備えることにより、キー数が増加しても送信機の大型化を防止することができ、また、着脱自在カバーで操作キーがどちらかに固定されるようにしたリモコンの構成が開示されている。
【００１７】
しかしながら、これらの特許文献１乃至３は、いずれも、地上アナログ放送と衛星デジタル放送と地上デジタル放送とに対応する放送受信機において、各放送における選局操作を、不特定多数のユーザに対して使い勝手の良い使用形態となるように考慮することについては、何らの記載もなされていないものである。
【００１８】
【特許文献１】
実開平５−８３９６２号公報
【００１９】
【特許文献２】
実開平２−８８３８７号公報
【００２０】
【特許文献３】
実開平２−９２２８７号公報
【００２１】
【発明が解決しようとする課題】
そこで、この発明は上記事情を考慮してなされたもので、地上アナログ放送、衛星デジタル放送及び地上デジタル放送の各選局操作を、ユーザにとっての使い勝手を向上させるように考慮し、しかも、選局のためのキー数の増加を抑えて操作性を向上させることを可能とした放送受信装置及び放送受信方法を提供することを目的とする。
【００２２】
【課題を解決するための手段】
すなわち、この発明に係る放送受信装置は、地上アナログ放送、地上デジタル放送及び衛星デジタル放送を受信可能なものを対象としている。そして、地上アナログ放送、地上デジタル放送及び衛星デジタル放送に対応させてモード切り替えが可能で、各モード毎に対応する放送に含まれる複数のチャンネルが、複数のワンタッチ選局キーにそれぞれ対応して割り当てられる第１のワンタッチ選局操作手段と、地上アナログ放送、地上デジタル放送及び衛星デジタル放送のいずれか１つの放送に含まれる複数のチャンネルが、複数のワンタッチ選局キーにそれぞれ対応して割り当てられる第２のワンタッチ選局操作手段とを備えるようにしたものである。
【００２３】
また、この発明に係る放送受信方法は、地上アナログ放送、地上デジタル放送及び衛星デジタル放送を受信可能な方法を対象としている。そして、地上アナログ放送、地上デジタル放送及び衛星デジタル放送に対応させてモード切り替えが可能で、各モード毎に対応する放送に含まれる複数のチャンネルを、複数の第１のワンタッチ選局キーにそれぞれ対応して割り当てる工程と、地上アナログ放送、地上デジタル放送及び衛星デジタル放送のいずれか１つの放送に含まれる複数のチャンネルを、複数の第２のワンタッチ選局キーにそれぞれ対応して割り当てる工程とを備えるようにしたものである。
【００２４】
上記のような構成及び方法によれば、モード切り替えを行なわないワンタッチ選局キーにユーザの希望する放送を割り当てることができるので、地上アナログ放送、衛星デジタル放送及び地上デジタル放送の各選局操作を、ユーザにとっての使い勝手を向上させることができ、しかも、キー数の増加を抑えて操作性を向上させることが可能となる。
【００２５】
【発明の実施の形態】
以下、この発明の実施の形態について、図面を参照して詳細に説明する。図１は、この実施の形態で説明するテレビジョン放送受信機を示している。このテレビジョン放送受信機は、地上アナログ放送、ＢＳデジタル放送、１１０度ＣＳデジタル放送及び地上デジタル放送の受信に対応している。
【００２６】
すなわち、地上波アンテナ１１で受信された地上アナログ放送信号は、地上アナログ放送用チューナ１２に供給されて所定の放送チャンネルの信号が選局される。そして、この地上アナログ放送用チューナ１２から出力された受信信号は、信号処理回路１３に供給されて復調され、アナログの映像信号と音声信号とに分離されて出力される。
【００２７】
一方、デジタルアンテナ１４は、ＢＳデジタル放送及び１１０度ＣＳデジタル放送を含む衛星デジタル放送信号を受信する。このデジタルアンテナ１４で受信された衛星デジタル放送信号は、衛星デジタル放送用チューナ１５に供給されて所定の伝送チャンネルが選局された後、エラー訂正回路１６に出力される。
【００２８】
このエラー訂正回路１６は、衛星デジタル放送用チューナ１５から出力された受信信号に復調処理を施し、エラー訂正処理を行なった後、スクランブル制御回路１７に出力している。
【００２９】
また、上記地上波アンテナ１１で受信された地上デジタル放送信号は、地上デジタル放送用チューナ３７に供給されて所定の放送チャンネルの信号が選局されされた後、エラー訂正回路３８に出力される。
【００３０】
このエラー訂正回路３８は、地上デジタル放送用チューナ３７から出力された受信信号に復調処理を施し、エラー訂正処理を行なった後、上記スクランブル制御回路１７に出力している。
【００３１】
このスクランブル制御回路１７は、入力された受信信号にスクランブル処理が施されている場合、そのスクランブルを解除するデスクランブル処理を施して、多重データ分離回路１８に出力する。この場合、スクランブル制御回路１７から多重データ分離回路１８に供給されるデータは、複数のチャンネル及び番組のデータを含む多重データである。
【００３２】
この多重データ分離回路１８は、受信信号のビットストリームに含まれる識別情報ＩＤに基づいてパケットを分離している。そして、この多重データ分離回路１８は、ＳＩ（Ｓｅｒｖｉｃｅ  Ｉｎｆｏｒｍａｔｉｏｎ）情報の番組情報を分離すると、これらの番組情報をコントロール制御回路１９に供給するとともに、パケット毎の映像信号についてはＭＰＥＧ（Ｍｏｖｉｎｇ  Ｐｉｃｔｕｒｅ  Ｅｘｐｅｒｔｓ  Ｇｒｏｕｐ）映像再生回路２０に供給し、音声信号についてはＭＰＥＧ音声再生回路２１に供給する。
【００３３】
このＭＰＥＧ映像再生回路２０は、入力された映像信号が圧縮符号化されたものであるため、この圧縮符号化データにデコード処理を施し、アナログの映像信号にして出力している。
【００３４】
また、上記ＭＰＥＧ音声再生回路２１は、入力された音声信号が圧縮符号化されたものであるため、この音声信号にデコード処理を施し、デコード処理後のアナログの音声信号を出力している。
【００３５】
ここで、上記信号処理回路１３から出力される映像信号と、ＭＰＥＧ映像再生回路２０から出力される映像信号とは、切替スイッチ２２によって選択的にＯＳＤ（Ｏｎ  Ｓｃｒｅｅｎ  Ｄｉｓｐｌａｙ）回路２３に導かれる。
【００３６】
また、上記コントロール制御回路１９は、多重データ分離回路１８から取得したＳＩ情報に基づいて、表示に要求されるＯＳＤ信号を生成し、ＯＳＤ回路２３に出力している。
【００３７】
そして、このＯＳＤ回路２３は、切替スイッチ２２によって選択された映像信号と、コントロール制御回路１９から供給されたＯＳＤ信号とを重畳して、ＣＲＴ（Ｃａｔｈｏｄｅ  Ｒａｙ  Ｔｕｂｅ）２４に出力し、映像表示させる。
【００３８】
また、上記信号処理回路１３から出力される音声信号と、ＭＰＥＧ音声再生回路２１から出力される音声信号とは、上記切替スイッチ２２に連動して切り替えられる切替スイッチ２５によって、選択的にスピーカ２６に導かれて音声再生される。
【００３９】
ここで、このテレビジョン放送受信機は、その全ての動作を、コントロール制御回路１９によって統括的に制御されている。このコントロール制御回路１９は、図示しないＣＰＵ（Ｃｅｎｔｒａｌ  Ｐｒｏｃｅｓｓｉｎｇ  Ｕｎｉｔ）を内蔵しており、リモートコントローラ２７から送出される操作情報を受信し、その操作内容が反映されるように、各回路部をそれぞれ制御している。
【００４０】
図２は、上記リモートコントローラ２７の外観を示している。このリモートコントローラ２７には、主として、電源キー２８、第１のワンタッチ選局キー群２９、第２のワンタッチ選局キー群３０、モード切替キー群３１、チャンネルアップダウンキー３２、音量調整キー３３、移動キー３４、決定キー３５及びメニューキー３６等が設置されている。
【００４１】
このうち、第１のワンタッチ選局キー群２９及び第２のワンタッチ選局キー群３０は、それぞれ、１〜１２の番号が付された１２個のワンタッチ選局キーで構成されている。
【００４２】
また、モード切替キー群３１は、第１のワンタッチ選局キー群２９を、地上デジタル放送での選局に使用するモードに切り替えるキー（地上Ｄ）と、ＢＳデジタル放送での選局に使用するモードに切り替えるキー（ＢＳ）と、１１０度ＣＳデジタル放送での選局に使用するモードに切り替えるキー（ＣＳ）と、地上アナログ放送での選局に使用するモードに切り替えるキー（地上Ａ）とで構成されている。
【００４３】
ここで、リモートコントローラ２７のメニューキー３６が操作されると、コントロール制御回路１９は、ＣＲＴ２４に割り当て選択画面を表示させる。この割り当て選択画面は、図３に示すように、第２のワンタッチ選局キー群３０を、地上デジタル放送の選局に使用するように割り当てるか、地上アナログ放送の選局に使用するように割り当てるかを、ユーザに選定させるものである。
【００４４】
この選定は、ＣＴＲ２４における「地上デジタル放送」の表示領域ａと、「地上アナログ放送」の表示領域ｂとのいずれかを、リモートコントローラ２７の移動キー３４を操作して選択し、決定キー３５を操作して決定することにより実現される。
【００４５】
今、例えば、第２のワンタッチ選局キー群３０を、地上アナログ放送の選局に使用するように割り当てることが選定されたとする。コントロール制御回路１９は、予め、１２個のワンタッチ選局キーと、地上アナログ放送のチャンネルと、その放送局とを対応させた地上アナログ放送用ワンタッチ選局テーブルを格納している。
【００４６】
そして、ユーザが、第２のワンタッチ選局キー群３０のいずれかのワンタッチ選局キーを操作した場合、コントロール制御回路１９は、地上アナログ放送用ワンタッチ選局テーブルを参照して、リモートコントローラ２７から出力された操作情報が、地上アナログ放送のどのチャンネルに対応しているかを検索し、その検索されたチャンネルを選局するように制御する。
【００４７】
このようにして、第２のワンタッチ選局キー群３０が地上アナログ放送の選局に割り当てられると、次に、コントロール制御回路１９は、第１のワンタッチ選局キー群２９を、地上デジタル放送の選局に使用するように割り当てるモードとなる。
【００４８】
コントロール制御回路１９は、予め、１２個のワンタッチ選局キーと、地上デジタル放送のチャンネルと、その放送局とを対応させた地上デジタル放送用ワンタッチ選局テーブルを格納している。
【００４９】
そして、ユーザが、モード切替キー群３１のキー（地上Ｄ）を操作してから、第１のワンタッチ選局キー群２９のいずれかのワンタッチ選局キーを操作した場合、コントロール制御回路１９は、地上デジタル放送用ワンタッチ選局テーブルを参照して、リモートコントローラ２７から出力された操作情報が、地上デジタル放送のどのチャンネルに対応しているかを検索し、その検索されたチャンネルを選局するように制御する。
【００５０】
このようにして、第１のワンタッチ選局キー群２９が地上デジタル放送の選局に割り当てられると、次に、コントロール制御回路１９は、第１のワンタッチ選局キー群２９を、ＢＳデジタル放送の選局に使用するように割り当てるモードとなる。
【００５１】
コントロール制御回路１９は、予め、１２個のワンタッチ選局キーと、ＢＳデジタル放送のチャンネルと、その放送局とを対応させたＢＳデジタル放送用ワンタッチ選局テーブルを格納している。
【００５２】
そして、ユーザが、モード切替キー群３１のキー（ＢＳ）を操作してから、第１のワンタッチ選局キー群２９のいずれかのワンタッチ選局キーを操作した場合、コントロール制御回路１９は、ＢＳデジタル放送用ワンタッチ選局テーブルを参照して、リモートコントローラ２７から出力された操作情報が、ＢＳデジタル放送のどのチャンネルに対応して登録されているかを検索し、その検索されたチャンネルを選局するように制御する。
【００５３】
このようにして、第１のワンタッチ選局キー群２９がＢＳデジタル放送の選局に割り当てられると、次に、コントロール制御回路１９は、第１のワンタッチ選局キー群２９を、１１０度ＣＳデジタル放送の選局に使用するように割り当てるモードとなる。
【００５４】
コントロール制御回路１９は、予め、１２個のワンタッチ選局キーと、１１０度ＣＳデジタル放送のチャンネルと、その放送局とを対応させた１１０度ＣＳデジタル放送用ワンタッチ選局テーブルを格納している。
【００５５】
そして、ユーザが、モード切替キー群３１のキー（ＣＳ）を操作してから、第１のワンタッチ選局キー群２９のいずれかのワンタッチ選局キーを操作した場合、コントロール制御回路１９は、１１０度ＣＳデジタル放送用ワンタッチ選局テーブルを参照して、リモートコントローラ２７から出力された操作情報が、１１０度ＣＳデジタル放送のどのチャンネルに対応しているかを検索し、その検索されたチャンネルを選局するように制御する。
【００５６】
以上の動作により、図４に示すように、リモートコントローラ２７の第２のワンタッチ選局キー群３０が、地上アナログ放送の選局に使用するように割り当てられ、第１のワンタッチ選局キー群２９が、地上デジタル放送、ＢＳデジタル放送、１１０度ＣＳデジタル放送の選局に使用されるように割り当てられる。
【００５７】
このため、一般的に視聴頻度の高い地上アナログ放送に対しては、第２のワンタッチ選局キー群３０のワンタッチ選局キーをそのまま選択的に操作するだけで選局を行なうことができるので、操作性を向上させることができる。
【００５８】
図５は、図４に示した割り当てにおける、第１及び第２のワンタッチ選局キー群２９，３０とワンタッチ選局テーブルとの対応関係をまとめて示している。すなわち、第２のワンタッチ選局キー群３０のいずれかのワンタッチ選局キーが操作されたとき、コントロール制御回路１９は、地上アナログ放送用ワンタッチ選局テーブルを参照して、チャンネルの選局を実行する。
【００５９】
また、モード切替キー群３１のキー（地上Ｄ）が操作された状態で、第１のワンタッチ選局キー群２９のいずれかのワンタッチ選局キーが操作されたとき、コントロール制御回路１９は、地上デジタル放送用ワンタッチ選局テーブルを参照して、チャンネルの選局を実行する。
【００６０】
さらに、モード切替キー群３１のキー（ＢＳ）が操作された状態で、第１のワンタッチ選局キー群２９のいずれかのワンタッチ選局キーが操作されたとき、コントロール制御回路１９は、ＢＳデジタル放送用ワンタッチ選局テーブルを参照して、チャンネルの選局を実行する。
【００６１】
また、モード切替キー群３１のキー（ＣＳ）が操作された状態で、第１のワンタッチ選局キー群２９のいずれかのワンタッチ選局キーが操作されたとき、コントロール制御回路１９は、１１０度ＣＳデジタル放送用ワンタッチ選局テーブルを参照して、チャンネルの選局を実行する。
【００６２】
図６は、地上アナログ放送受信時における、ＣＲＴ２４の表示画面を示している。例えば、地上アナログ放送のチャンネルｎを受信している状態では、画面にチャンネルｎの番組の映像が表示されるとともに、画面の右上の領域ｃに現在選局されているチャンネルの番号「ｎ」が表示される。
【００６３】
また、このとき、モード切替キー群３１のキー（ＢＳ）が操作されているとすれば、画面の左上の領域ｄに、第１のワンタッチ選局キー群２９が、現在、ＢＳデジタル放送を選局するモードになっていることを示す情報「ＢＳ」が表示される。
【００６４】
このため、ユーザは、地上アナログ放送を視聴している状態で、ＢＳデジタル放送の視聴を行なう場合には、そのまま、第１のワンタッチ選局キー群２９のいずれかのワンタッチ選局キーを操作すれば良いことがわかり、操作性を向上させることができる。
【００６５】
また、例えば、地上デジタル放送または１１０度ＣＳデジタル放送の視聴を行なう場合には、モード切替キー群３１のキー（地上Ｄ）またはキー（ＣＳ）を操作してから、第１のワンタッチ選局キー群２９のいずれかのワンタッチ選局キーを操作すれば良いことがわかるため、この点でも、操作性を向上させることができる。
【００６６】
次に、先に、図４に示したように、リモートコントローラ２７の第２のワンタッチ選局キー群３０が地上アナログ放送の選局に使用するように割り当てられ、第１のワンタッチ選局キー群２９が地上デジタル放送、ＢＳデジタル放送、１１０度ＣＳデジタル放送の選局に使用されるように割り当てられている状態で、リモートコントローラ２７のメニューキー３６が操作されると、コントロール制御回路１９は、ＣＲＴ２４に図３に示した割り当て選択画面を表示させる。
【００６７】
そして、この割り当て選択画面で、第２のワンタッチ選局キー群３０を、地上デジタル放送の選局に使用するように割り当てることが選定されたとする。すると、コントロール制御回路１９は、第２のワンタッチ選局キー群３０の１２個のワンタッチ選局キーが操作されたとき、地上デジタル放送用ワンタッチ選局テーブルを参照して選局を行なうように動作する。
【００６８】
また、このとき、コントロール制御回路１９は、モード切替キー群３１のキー（地上Ａ）が操作された後、第１のワンタッチ選局キー群２９の１２個のワンタッチ選局キーが操作されたとき、地上アナログ放送用ワンタッチ選局テーブルを参照して選局を行なうように動作する。
【００６９】
以上の動作により、図７に示すように、リモートコントローラ２７の第２のワンタッチ選局キー群３０が、地上デジタル放送の選局に使用するように割り当てが切り替えられ、第１のワンタッチ選局キー群２９が、地上アナログ放送、ＢＳデジタル放送、１１０度ＣＳデジタル放送の選局に使用されるように割り当てが切り替えられる。
【００７０】
すなわち、リモートコントローラ２７の第２のワンタッチ選局キー群３０が、地上デジタル放送の選局に使用され、第１のワンタッチ選局キー群２９が、地上アナログ放送、ＢＳデジタル放送、１１０度ＣＳデジタル放送の選局に使用されるように、割り当てが入れ替えられる。
【００７１】
図８は、図７に示した割り当てにおける、第１及び第２のワンタッチ選局キー群２９，３０とワンタッチ選局テーブルとの対応関係をまとめて示している。すなわち、第２のワンタッチ選局キー群３０のいずれかのワンタッチ選局キーが操作されたとき、コントロール制御回路１９は、地上デジタル放送用ワンタッチ選局テーブルを参照して、チャンネルの選局を実行する。
【００７２】
また、モード切替キー群３１のキー（地上Ａ）が操作された状態で、第１のワンタッチ選局キー群２９のいずれかのワンタッチ選局キーが操作されたとき、コントロール制御回路１９は、地上アナログ放送用ワンタッチ選局テーブルを参照して、チャンネルの選局を実行する。
【００７３】
さらに、モード切替キー群３１のキー（ＢＳ）が操作された状態で、第１のワンタッチ選局キー群２９のいずれかのワンタッチ選局キーが操作されたとき、コントロール制御回路１９は、ＢＳデジタル放送用ワンタッチ選局テーブルを参照して、チャンネルの選局を実行する。
【００７４】
また、モード切替キー群３１のキー（ＣＳ）が操作された状態で、第１のワンタッチ選局キー群２９のいずれかのワンタッチ選局キーが操作されたとき、コントロール制御回路１９は、１１０度ＣＳデジタル放送用ワンタッチ選局テーブルを参照して、チャンネルの選局を実行する。
【００７５】
なお、図７に示した割り当ての状態で、図３に示した割り当て選択画面を表示させて、地上アナログ放送を選択すると、再び図４に示した割り当てに変更される。
【００７６】
上記した実施の形態によれば、第２のワンタッチ選局キー群３０を、地上デジタル放送の選局に使用するように割り当てるか、地上アナログ放送の選局に使用するように割り当てるかを、ユーザが選択できるようにしている。このため、地上アナログ放送と地上デジタル放送との混在期においても、例えば、視聴頻度の高い方の放送を割り当てることにより、操作性を向上させることができる。
【００７７】
また、将来的に、地上アナログ放送が廃止された場合にも、第２のワンタッチ選局キー群３０を地上デジタル放送の選局に使用するように割り当てるだけで、何ら問題なく対応することが可能となる。
【００７８】
次に、上記した実施の形態の変形例について説明する。すなわち、上記した実施の形態では、第２のワンタッチ選局キー群３０を地上アナログ放送の選局に割り当てた場合、第１のワンタッチ選局キー群２９は、残りの地上デジタル放送、ＢＳデジタル放送及び１１０度ＣＳデジタル放送の選局に割り当てられるようにしている。
【００７９】
これに対し、図９に示すように、リモートコントローラ２７の第２のワンタッチ選局キー群３０が、地上アナログ放送の選局に使用するように割り当てられた状態で、第１のワンタッチ選局キー群２９を、全放送、つまり、地上アナログ放送、地上デジタル放送、ＢＳデジタル放送及び１１０度ＣＳデジタル放送の選局に使用されるように割り当てることも可能である。
【００８０】
この場合には、図１０に示すように、リモートコントローラ２７の第２のワンタッチ選局キー群３０が、地上デジタル放送の選局に使用するように割り当てが切り替えられた状態でも、第１のワンタッチ選局キー群２９には、全放送、つまり、地上アナログ放送、地上デジタル放送、ＢＳデジタル放送及び１１０度ＣＳデジタル放送の選局に使用されるように割り当てが行なわれる。
【００８１】
このような構成によっても、リモートコントローラ２７の第２のワンタッチ選局キー群３０に、ユーザの希望する放送を割り当てることができるので、選局の操作性を向上させることが可能となる。
【００８２】
ここで、上記した実施の形態では、第２のワンタッチ選局キー群３０を、地上デジタル放送の選局と地上アナログ放送の選局とに選択的に割り当てられるようにしたが、これに限らず、第２のワンタッチ選局キー群３０を、地上デジタル放送の選局、地上アナログ放送の選局、ＢＳデジタル放送の選局及び１１０度ＣＳデジタル放送の選局に選択的に割り当てられるようにすることも可能である。この場合には、割り当て選択画面に各放送に対応した４つの項目が表示され、その４つの項目の中から所望の項目を選定することになる。
【００８３】
なお、この発明は上記した実施の形態そのままに限定されるものではなく、実施段階ではその要旨を逸脱しない範囲で構成要素を種々変形して具体化することができる。
【００８４】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【００８５】
【発明の効果】
以上詳述したようにこの発明によれば、地上アナログ放送、衛星デジタル放送及び地上デジタル放送の各選局操作を、ユーザにとっての使い勝手を向上させるように考慮し、しかも、選局のためのキー数の増加を抑えて操作性を向上させることを可能とした放送受信装置及び放送受信方法を提供することができる。
【図面の簡単な説明】
【図１】この発明の実施の形態を示すもので、テレビジョン放送受信機の信号処理系を説明するために示すブロック構成図。
【図２】同テレビジョン放送受信機におけるリモートコントローラの外観を説明するために示す図。
【図３】同テレビジョン放送受信機における割り当て選択画面の一例を説明するために示す図。
【図４】同割り当て選択画面によって選択された結果に基づいて設定された割り当ての一例を説明するために示す図。
【図５】図４に示す割り当てにおける第１及び第２のワンタッチ選局キー群とワンタッチ選局テーブルとの対応関係を説明するために示す図。
【図６】同テレビジョン放送受信機における地上アナログ放送受信時の表示画面の一例を説明するために示す図。
【図７】同割り当て選択画面によって選択された結果に基づいて設定された割り当ての他の例を説明するために示す図。
【図８】図７に示す割り当てにおける第１及び第２のワンタッチ選局キー群とワンタッチ選局テーブルとの対応関係を説明するために示す図。
【図９】同実施の形態の変形例を示すもので、割り当て選択画面で選択された結果に基づいて設定された割り当ての一例を説明するために示す図。
【図１０】同変形例における割り当て選択画面で選択された結果に基づいて設定された割り当ての他の例を説明するために示す図。
【符号の説明】
１１…地上波アンテナ、１２…地上アナログ放送用チューナ、１３…信号処理回路、１４…デジタルアンテナ、１５…衛星デジタル放送用チューナ、１６…エラー訂正回路、１７…スクランブル制御回路、１８…多重データ分離回路、１９…コントロール制御回路、２０…ＭＰＥＧ映像再生回路、２１…ＭＰＥＧ音声再生回路、２２…切替スイッチ、２３…ＯＳＤ回路、２４…ＣＲＴ、２５…切替スイッチ、２６…スピーカ、２７…リモートコントローラ、２８…電源キー、２９…第１のワンタッチ選局キー群、３０…第２のワンタッチ選局キー群、３１…モード切替キー群、３２…チャンネルアップダウンキー、３３…音量調整キー、３４…移動キー、３５…決定キー、３６…メニューキー、３７…地上デジタル放送用チューナ、３８…エラー訂正回路。
【図１】
2004363910.tif 000003
【図２】
2004363910.tif 000004
【図３】
2004363910.tif 000005
【図４】
2004363910.tif 000006
【図５】
2004363910.tif 000007
【図６】
2004363910.tif 000008
【図７】
2004363910.tif 000009
【図８】
2004363910.tif 000010
【図９】
2004363910.tif 000011
【図１０】
2004363910.tif 000012